(57)【要約】【課題】長尺なパネルであっても強度を確実に保持することができ、かつ外観上も美麗な竹垣パネルの構造を提供する。【解決手段】両端の端枠部材２１及び両側の側枠部材２５からなる矩形の枠体２０と、前記枠体内の前記側枠部材間に掛け渡された棒状部材３０と、前記棒状部材に対して丸竹材４２からなる複数のパネル構成部材４１が直交状に屈曲配置されかつその両端部が前記端枠部材の凹溝部２２に挿入固定されてパネル状に編成されてなる丸竹パネル部４０とを備えた竹垣パネルであって、前記丸竹パネル部に前記丸竹材の内部に補強棒５５を内挿し該補強棒の両端部を前記端枠部材に固着してなる直管状の補強丸竹部材５５を配設した。【選択図】        図１
2004225382.tif 000002
【特許請求の範囲】
【請求項１】
両端の端枠部材及び両側の側枠部材からなる矩形の枠体と、前記枠体内の前記側枠部材間に掛け渡された棒状部材と、前記棒状部材に対して丸竹材からなる複数のパネル構成部材が直交状に屈曲配置されかつその両端部が前記端枠部材の凹溝部に挿入固定されてパネル状に編成されてなる丸竹パネル部とを備えた竹垣パネルであって、
前記丸竹パネル部に前記丸竹材の内部に補強棒を内挿し該補強棒の両端部を前記端枠部材に固着してなる直管状の補強丸竹部材を配設したことを特徴とする竹垣パネルの構造。
【請求項２】
前記パネル構成部材が前記棒状部材に対してその前後方向に交互に屈曲配置された竹垣パネルの構造。
【請求項３】
前記パネル構成部材が複数本ずつ並列された竹垣パネルの構造。
【発明の詳細な説明】
【０００１】
【発明の属する技術分野】
この発明は、塀や垣根等の構築用に用いられる竹垣パネルの構造に関する。
【０００２】
【従来の技術】
近年、屋外の庭園の塀や垣根、あるいは屋内庭園や廊下等において、天然竹の風合いを有するプラスチック製の人工竹パネル等が多用されている。この種の人工竹パネルは、合成樹脂素材を割竹形状が幅方向に多数連設するようにパネル状に成形してなるもので、形状、色彩等の風合いにおいて天然竹と遜色がないばかりか、パネル状に形成されているので施工が簡単かつ容易でしかも合成樹脂よりなるので腐食、変色等による外観低下が少なく耐久性が高い。（例えば特許文献１参照）
【０００３】
例えば本来の竹垣のように個別の丸竹材を多数組み込み竹材間に自然な隙間が透過現出されるような立体的風合いを得るために、図４に示すような、いわゆる大津垣と称される竹垣パネル６０が提案されている。この種竹垣パネル６０としては、図からも解るように、側枠部材６２と端枠部材６３からなる枠体６１に、複数のパネル構成部材７１よりなる丸竹パネル部７０を配置したものである。ここでは、前記側枠部材６２に固定された棒状部材６５に対して、パネル構成部材７１を表と裏に交互に編み込んだもので、それぞれのパネル構成部材７１の端部は端枠部材６３内側の凹溝部６４によって固定保持されたものを例示する。
【０００４】
しかるに、前記構造の竹垣パネル６０にあっては、棒状部材６５に対してパネル構成部材７１を屈曲させてその端部を前記端枠部材６３の凹溝部６４に挿入することによって固定したものであるため、図５のように端枠部材６３にはパネル構成部材７１の丸竹材７２の復元力が係っている。この復元力は端枠部材６３を押し上げる力となり、特に端枠部材６３の枠体６１の固定部分から遠い中心部分に反りや膨らみが生じてしまう問題がある。（図４は説明の便宜のため誇張して示す。）このためにこの種竹垣パネル６０の構造では長尺にすればするほど端枠部材６３の反りが大きく生ずる嫌いがあった。
【０００５】
【特許文献１】
特開２００２−１３７２０２号公報
【０００６】
【発明が解決しようとする課題】
この発明は前記の点に鑑みなされたもので、長尺なパネルであっても強度を確実に保持することができ、かつ外観上も美麗な竹垣パネルの構造を提供するものである。
【０００７】
【課題を解決するための手段】
すなわち、請求項１の発明は、両端の端枠部材及び両側の側枠部材からなる矩形の枠体と、前記枠体内の前記側枠部材間に掛け渡された棒状部材と、前記棒状部材に対して丸竹材からなる複数のパネル構成部材が直交状に屈曲配置されかつその両端部が前記端枠部材の凹溝部に挿入固定されてパネル状に編成されてなる丸竹パネル部とを備えた竹垣パネルであって、前記丸竹パネル部に前記丸竹材の内部に補強棒を内挿し該補強棒の両端部を前記端枠部材に固着してなる直管状の補強丸竹部材を配設したことを特徴とする竹垣パネルの構造に係る。
【０００８】
また、請求項２の発明は、前記パネル構成部材が前記棒状部材に対してその前後方向に交互に屈曲配置された竹垣パネルの構造に係る。
【０００９】
さらに、請求項３の発明は、前記パネル構成部材が複数本ずつ並列された竹垣パネルの構造に係る。
【００１０】
【発明の実施の形態】
以下添付の図面に従ってこの発明を詳細に説明する。
図１はこの発明の竹垣パネルの構造の一実施例を示す正面図、図２は発明構造の一実施例を示す分解斜視図、図３は補強丸竹部材の端部の固定構造を示す部分拡大断面図である。
【００１１】
図１及び図２に示したように、請求項１の発明に係る丸竹パネル１０は、端枠部材２１及び側枠部材２５からなる枠体２０と、棒状部材３０と、丸竹パネル部４０とを備えた竹垣パネルであって、特にこの発明構造では、前記丸竹パネル部４０に補強丸竹部材５０を配設したことを特徴とする。
【００１２】
枠体２０は、両端の端枠部材２１，２１及び両側の側枠部材２５，２５からなるもので、端枠部材２１の端部を前記側枠部材２５の所定位置に固定して矩形としたものである。実施例の枠体２０はアルミ製のもので、横幅１９４０ｍｍ、縦９３０ｍｍである。
【００１３】
棒状部材３０は、前記枠体２０内の前記側枠部材２５，２５間に掛け渡されるもので、実施例では、丸竹を模したプラスチック製のパイプの中にアルミ補強パイプを挿入した物を等間隔に３本用いた。
丸竹パネル部４０は、前記棒状部材３０に対して丸竹材４２からなる複数のパネル構成部材４１が直交状に屈曲配置されかつその両端部が前記端枠部材２１の凹溝部２２に挿入固定されてパネル状に編成されてなる。なお、図３にも示すように、この例の凹溝部２２はパネル構成部材４１の端部を挿入しやすいように内部形状をテーパ状としたものである。
【００１４】
パネル構成部材４１は、この例では、請求項２に規定したように、前記棒状部材３０に対しその前後方向に交互に屈曲配置したものが示される。
さらに実施例のパネル構成部材４１は、図に示し、請求項３に規定したように、丸竹材４２を複数本ずつ（ここでは３本）並列した構造としている。もちろん、１本ずつ並列した構成にすることも可能である。
なお、丸竹パネル部４０の構成としては、当然、実施例のような構造以外にもパネル構成部材４１の配置や構成などを変更することが可能である。
【００１５】
丸竹材４２は、ＡＥＳ樹脂又はＰＶＣ樹脂もしくはＦＲＰ樹脂、ＰＰ樹脂等の合成樹脂成形品又はアルミ等の金属成形品等よりなる天然竹の風合いを有するものである。なお、丸竹材４２としては合成樹脂成形品等に限定するものではなく、天然丸竹を用いることもできる。
【００１６】
補強丸竹部材５０は、実施例では図３に図示したように、丸竹材４２の内部に両端部にネジ溝５６を有するもの補強棒５５を内挿した直管状のものである。該補強丸竹部材５０は、前記丸竹パネル部４０において前記丸竹材４２と並設するように、その両端部のネジ溝５６を上下の前記端枠部材２１に固着する。前記端枠部材２１の所定位置には、補強丸竹部材５０の径よりも小さな貫通孔２３が形成されており、両側からナット５７を締め込んで固定する。
なお、補強棒６０は全ネジタイプのものでもよい。図において符号２４は、前記ナット５７を締める工具を挿通するための孔で、この部分には外観上、処置後にめくら蓋等を設けるのが好ましい。
【００１７】
次にこの丸竹パネル１０の組み付け方法の一実施例について説明する。
まず、端枠部材２１と側枠部材２５を用いて所定サイズの枠体２０を構成する。次に丸竹材４２内部に補強棒５５を挿入した補強丸竹部材５０を挿入し、前記端枠部材２１の凹溝２２内中心位置に配置して両側からナットを締め込んで固定する。
【００１８】
次いで、図２のように、３本の丸竹材４２からなるパネル構成部材４１を前記棒状部材３０に対して前後交互になるように順次配設する。このとき、前記補強丸竹部材５０はパネル構成部材４１の丸竹材４２の１本として外観上紛れるように配されるのが好ましい。すなわち、図１の実施例のように、パネル構成部材４１である３本の丸竹材４２の中心に位置するように配置すると、直管状である補強丸竹部材５０のみが丸竹パネル部４０において目立つことなく配設することができる。なお、図１は２枚の竹垣パネル１０，１０Ａを側枠部材２５の端部で連結しており、上下に組み合わせた実施例を示すものである。また、竹垣パネル１０Ａは、前記棒状部材３０位置に半割状の化粧割竹材１７Ａを配置したものであって、外観を向上するものである。
【００１９】
【発明の効果】
以上図示し説明したように、この発明の竹垣パネルの構造によれば、丸竹パネル部に丸竹材内部に補強棒を内挿し、補強棒の両端部を端枠部材に固着してなる直管状の補強丸竹部材を配設したものであるため、枠体が補強され、竹垣パネルが長尺になっても丸竹パネル部の影響を受けて撓みが生じることがない。
また、補強丸竹部材はパネル構成部材と並列して設けられるものであるため、外観上も違和感なく美麗である。
【図面の簡単な説明】
【図１】この発明の竹垣パネルの構造の一実施例を示す正面図である。
【図２】発明構造の一実施例を示す分解斜視図である。
【図３】補強丸竹部材の端部の固定構造を示す部分拡大断面図である。
【図４】従来の竹垣パネルの構造の一実施例を示す正面図である。
【図５】図４のパネル構成部材の端部の状態を示す部分拡大断面図である。
【符号の説明】
１０  丸竹パネルユニット
２０  枠体
２１  端枠部材
２２  凹溝部
２５  側枠部材
３０  棒状部材
４０  丸竹パネル部
４１  パネル構成部材
４２  丸竹材
５０  補強丸竹部材
５５  補強棒
【図１】
2004225382.tif 000003
【図２】
2004225382.tif 000004
【図３】
2004225382.tif 000005
【図４】
2004225382.tif 000006
【図５】
2004225382.tif 000007